(57)【要約】【課題】  作業時には容易確実に使用が可能で、安全で作業の妨げにならず、太陽光を首や後頭部に受けて熱中症等の危険を防止する安全ベストを提供せんとする。【解決手段】  ベスト１１の後身頃１２と左・右の前身頃１４Ａ，１４Ｂとを上端の肩部で逢着１３し、後身頃１２、左・右の前身頃１４Ａ，１４Ｂの下端部が各々着脱自在とし、反射テープ１７が縦横に貼着する。ベスト１１の後身頃１２と左・右の前身頃１４Ａ，１４Ｂの首周り部に着脱手段９を設ける。遮蔽布の半円形の弧状部４に可撓性の骨材５を有し、直線部６に着脱手段８を設けた。遮蔽布１をベスト１１の首周り部へ着脱手段８、９で装着自在とした。【選択図】  図３
2014047426.tif 000002
【特許請求の範囲】
【請求項１】
後身頃と左・右の前身頃とを上端の肩部で逢着し、後身頃、左・右の前身頃の下端部が各々着脱自在であると共に、反射テープが縦横に貼着されている安全ベストにおいて、ベストの後身頃と左・右の前身頃の首周り部に着脱手段を設けたこと、半円形の弧状部に可撓性の骨材を有し、直線部に着脱手段を設けた遮蔽布を、ベストの首周り部へ着脱手段で装着自在としたことを特徴とする安全ベスト。
【請求項２】
後身頃と左・右の前身頃はメッシュ素材で整形され、遮蔽布は吸水性素材をメッシュ素材で抱持したことを特徴とする請求項１記載の安全ベスト。
【請求項３】
着脱手段が鉤ホック又はファスナーであることを特徴とする請求項１又は２記載の安全ベスト。
【請求項４】
可撓性の骨材が軟質樹脂の線体であることを特徴とする請求項１乃至３記載の安全ベスト。
【発明の詳細な説明】
【技術分野】
【０００１】
本発明は道路上で作業をする場合、ドライバーや周囲の通行人にその存在を喚起する安全ベストに関するものである。
【背景技術】
【０００２】
道路上の作業や交通整理に当たる場合等、特に交通事故に遭わないように注意をする必要があり、特にドライバーに存在を喚起させる必要がある。
そこで、身体の前面や背中に注意を喚起する反射テープや自発光する帯体を装着したベストを着用して作業することが一般的となっている。
【０００３】
そして、係るベストは反射テープ等を装着するための着衣であって、衣服としての着用目的は殆ど無く、特に夏場に着用するベストは最小限の必要なパーツのみで縫製されている。
【０００４】
ところで、夏季においては、太陽光を首や後頭部に受けて熱中症等の危険があり、ヘルメットやフードによって危険の回避を図る工夫が提案されている。
即ち、ヘルメットで後頭部や首までカバーできるようにすることや、ヘルメットの後部に遮光布等を垂下させて遮光や遮熱を図ることが考えられている。
また、安全ベストにフードを付けてヘルメットと併用することも考えられる。
【０００５】
そして、一般の衣服においては、襟を有するタイプのもので、当該襟を立てて遮光や遮熱を図るようにしたものも開示されている。
【先行技術文献】
【特許文献】
【０００６】
【特許文献１】実開昭６２−１２６３１０号公報
【特許文献２】実用新案登録第３０４７１４５号公報
【発明の概要】
【発明が解決しようとする課題】
【０００７】
後頭部や首までカバーするヘルメットとすることは、却って頭部に熱がこもり夏季には適さず、ヘルメットの後部に遮光布等を垂下することは不恰好な外観となる。
また、襟を立てて遮光や遮熱を図る方法も、作業衣に襟を付ける事は適さず、フードは顔の動きに追随しないため、左右の視界を遮り作業の安全上の問題がある。
【０００８】
そこで、本発明は作業時には容易確実に使用が可能で、安全で作業の妨げにならず、目的の作用効果を得られものを提供せんとするものである。
【課題を解決するための手段】
【０００９】
本発明の請求項１の安全ベストの発明は、後身頃と左・右の前身頃とを上端の肩部で逢着し、後身頃、左・右の前身頃の下端部が各々着脱自在であると共に、反射テープが縦横に貼着されている安全ベストにおいて、ベストの後身頃と左・右の前身頃の首周り部に着脱手段を設けたこと、半円形の弧状部に可撓性の骨材を有し、直線部に着脱手段を設けた遮蔽布を、ベストの首周り部へ着脱手段で装着自在としたことを特徴とするものである。
【００１０】
請求項２の安全ベストの発明は、請求項１記載の発明において、後身頃と左・右の前身頃はメッシュ素材で整形され、遮蔽布は吸水性素材をメッシュ素材で抱持したことを特徴とするものである。
【００１１】
請求項３の安全ベストの発明は、請求項１又は２記載の発明において、着脱手段が鉤ホック又はファスナーであることを特徴とするものである。
【００１２】
請求項４の安全ベストの発明は、請求項１乃至３記載の発明において、可撓性の骨材が軟質樹脂の線体であることを特徴とするものである。
【発明の効果】
【００１３】
請求項１の安全ベスト発明は、ベストの後身頃と左・右の前身頃の首周り部に着脱手段を設け、半円形の弧状部に可撓性の骨材を有し、直線部に着脱手段を設けた遮蔽布を、ベストの首周り部へ着脱手段で装着自在としたため、ベストに遮蔽布を装着し、骨材を利用して立てることにより、首から後頭部を遮蔽布で覆って遮光や遮熱の作用効果を得られるものである。
【００１４】
当該ベストは最外側に着衣するため、遮蔽布が他の衣服と互いに不都合を生じることはなく、首から後頭部を被覆することができる。
また、後頭部を保護する必要の無い時は、後方へ倒しておけば骨材でその状態を維持し、作業の支障とならず、季節のよっては取り外して置くことも可能で、遮蔽布のみの洗濯もできる効果を有するものである。
【００１５】
さらに、夏季には遮蔽布をベストに取り付けたままにしておけば、作業時には必ず安全ベストを着用するため、確実に使用が可能で忘れることが無く、半円形の遮蔽布であるから左右の首部はカバーするけれど視界を遮ることは無く、後頭部はしっかりと被覆し、作業の安全性を確保できる効果を発揮する。
【００１６】
請求項２の発明は、請求項１の効果加えて、後身頃と左・右の前身頃はメッシュ素材で整形されているため通気性が良い。
また、遮蔽布は吸水性素材をメッシュ素材で抱持したものであるから、首や頭部にはメッシュが直接触れて暑さを感じさせず、内部の吸水性素材で汗等の水分を吸収し快適さを保つものである。
【００１７】
請求項３の発明は、請求項１及び２の効果に加えて、着脱手段が鉤ホック又はファスナーとしたため、着脱が極めて容易となるものである。
また、請求項４の発明は、請求項１乃至３の効果に加えて、可撓性の骨材が軟質樹脂の線体であるため、目的の作用を奏すると共に、安全性が高く危険を伴なわないものとなる。
【図面の簡単な説明】
【００１８】
【図１】本発明の遮蔽布の一実施の形態を示す内面図である。
【図２】本発明の安全ベストの一実施の形態を示す正面図である。
【図３】本発明の遮蔽布を取り付けた状態の正面図である。
【図４】図３の側面図である。
【発明を実施するための形態】
【００１９】
図１は本発明の遮蔽布の一実施の形態を示す内面図である。
遮蔽布１は半円形の形状を成した布巾２をメッシュ３で抱持したものである。
半円形の弧状部４には袋状の縁取りを形成し、内部に可撓性の骨材５が挿入してあり、骨材５は袋に沿って弧状に曲がり、その反発力によって半円形に整形維持している。
また、半円形の直線部６はテープ７で補強され、着脱手段のホック８の鉤が定間隔で設けてある。
【００２０】
布巾２は高吸収繊維を用いて構成し、メッシュ３はポリエステルで編成したものを使用している。
可撓性の骨材５は軟質樹脂の線体を利用でき、着脱手段のホック８は熱を帯びない樹脂製が好ましい。
又、着脱手段は線ファスナーや面ファスナーを用いてもよい。
【００２１】
図２は安全ベスト１１の一実施の形態を示す正面図であり、後身頃１２と左・右の前身頃１４Ａ、１４Ｂとを上端の肩部で逢着１３し、後身頃１２の下端部を横方向に膨出１８し、左・右の前身頃１４Ａ、１４Ｂの下端部も横方向に膨出１５Ａ、１５Ｂし、各々の下端部を面ファスナー１６で着脱自在としたものである。
各身頃は前記遮蔽布１のメッシュ３よりも太いポリエステルを用いて密な組織で編成されている。
【００２２】
そして、各身頃の表面（外側面）には反射テープ（発光源を有するものでも良い。）１７が縦横に貼着してある。
また、ベスト１１の後身頃１２の外側端部面と左・右の前身頃１４Ａ、１４Ｂの前面上部の首周りにテープ７を逢着し、前記遮蔽布１のホック８の鉤に対応したホック９の受け金を設けてある。
【００２３】
そこで、図３及び図４に示すように、ホック８、９で、遮蔽布１の中央部をベスト１１の後身頃１２の外側端面と、遮蔽布１の両端部を左・右の前身頃１４Ａ、１４Ｂの前面上部に係止し、遮蔽布１をベスト１１に取り付けることができる。
そして、可撓性の骨材５の両端部は中央部よりも内側に入って位置し、前後方向にも弾性が作用するため、この弾性力を利用して前後方向へ付勢すれば遮蔽布１を起倒することができるものとなる。
【００２４】
したがって、遮蔽布１を付勢して前方へ起立させれば、可撓性の骨材５の両端部は内側に入って起立して首から後頭部を被覆する格好となり、後方へ付勢すれば、反り返って倒れて覆いを除いて、後頭部を開放することができる。
【００２５】
以上のように、本発明を図面に基づいて説明した実施の形態における具体的構成は一例であり、同様の作用効果を得られる他の構成又は手段を排除するものではない。
【符号の説明】
【００２６】
１              遮蔽布
２              布巾
３              メッシュ
４              弧状部
５              可撓性の骨材
６              直線部
７              テープ
８、９          ホック
１１            ベスト
１２            後身頃
１３            逢着
１４Ａ、１４Ｂ  左・右の前身頃
１５Ａ、１５Ｂ  膨出
１６            面ファスナー
１７            反射テープ
１８            膨出
【図１】
2014047426.tif 000003
【図２】
2014047426.tif 000004
【図３】
2014047426.tif 000005
【図４】
2014047426.tif 000006